(57)【要約】  【課題】磁気カードの挿入時および抜き取り時に、磁気カードの情報の不正読取を防止することが可能な磁気カード処理装置を提供する。  【解決手段】磁気カード処理装置１０１の挿入口４の近傍に、通行する磁気カード１の突出したエンボス部分１ｅに接するようにローラ７を設ける。磁気カード１が挿入口４から挿入される際や、本体２内部に取り込まれた磁気カード１が挿入口４へ排出される際に、磁気カード１のエンボス部分１ｅがローラ７に接すると、磁気カード１の移動速度が変動する。また、ローラ７から磁気カード１に衝撃が加わって、磁気カード１が振動する。よって、磁気カード処理装置１０１の前面に偽カード読取機が取り付けられても、偽カード読取機による磁気カードの情報の不正読取が防止される。【選択図】  図１
2005309861.tif 000002
【特許請求の範囲】
【請求項１】
表面にエンボス加工を施された磁気カードが挿入口から挿入された後に、磁気ヘッドによって前記磁気カードに対して情報の処理を行い、処理終了後に前記磁気カードが前記挿入口から抜き取られる磁気カード処理装置において、
前記挿入口の近傍に、通行する前記磁気カードの突出したエンボス部分に接するようにローラを設けたことを特徴とする磁気カード処理装置。
【請求項２】
請求項１に記載の磁気カード処理装置において、
前記挿入口から挿入された前記磁気カードを搬送する搬送手段を備え、
当該搬送手段によって搬送されている前記磁気カードに対して前記磁気ヘッドによって情報の処理を行い、
前記ローラと前記磁気ヘッドとを前記磁気カードに同時に接しないように磁気カードの挿入方向に所定の間隔をおいて配置したことを特徴とする磁気カード処理装置。
【請求項３】
請求項１に記載の磁気カード処理装置において、
前記磁気カードが所定位置まで完全に挿入されて停止していることを検出する検出手段と、
前記磁気ヘッドを前記磁気カードの磁気ストライプに沿って移動させる移動手段と、を備え、
前記検出手段によって前記磁気カードの所定位置での停止を検出しているときに、前記移動手段を駆動して前記磁気ヘッドを移動させながら前記磁気カードに対して情報の処理を行うことを特徴とする磁気カード処理装置。
【発明の詳細な説明】
【技術分野】
【０００１】
本発明は、表面にエンボス加工を施された磁気カードに対して、情報の処理を行う磁気カード処理装置に関する。
【背景技術】
【０００２】
クレジットカードやキャッシュカード等として利用される一般的な磁気カードは、プラスチックからなり、表面の所定位置に磁気ストライプが設けられている。このような磁気カードには、表面の磁気ストライプ以外の所定位置に、当該磁気カードの番号、有効期限、および利用者の氏名等を浮き出し文字で表示しているものがある。ここでの浮き出し文字は、磁気カードの表面を所定の文字の形で突出させたもののことであり、エンボスと呼ばれている。また、浮き出し文字の加工は、エンボス加工と呼ばれている。磁気カードに表示された浮き出し文字は、従来、デパート、ガソリンスタンド、および金融機関等の店舗において、カードによる取引をするときに使用されていた。具体的には、磁気カードを複写用の伝票で挟み込んだ後にローラをかけることで、カード番号等の浮き出し文字を伝票に転写して、利用者の情報を記録する。
【０００３】
最近では、上記のような浮き出し文字の転写を行っている店舗は殆どない。これは、店舗にカード取引システムが導入されたため、磁気カードの磁気ストライプに記録された情報を読み取ることで、当該取引システムを通じて利用者の情報を確認できるからである。つまり、最近のカードによる取引は、磁気カードの磁気データの利用が主流になっている。しかし、浮き出し文字の転写によって利用者の情報を記録することは、今もなお一部で行われているため、依然として磁気カードにはエンボス加工が施されている。
【０００４】
磁気カードを処理する磁気カード処理装置には、挿入口から挿入された磁気カードを搬送するカード搬送用のローラを装置内部に備えたものがある。このような磁気カード処理装置は、挿入口から磁気カードが挿入されると、モータによりローラを回転させて磁気カードを装置内部へ搬送して行く。そして、装置内部で磁気カードを搬送しながら、磁気ヘッドによって磁気カードの磁気ストライプから情報を読み取ったり、磁気ストライプに情報を書き込んだりする。情報の読み取りや書き込みの処理時は、磁気カードを一定速度で安定に搬送しないと処理を正常に行えないため、ローラは磁気カードのエンボス部分以外の部分に接する位置に設けられている。磁気カード処理装置は、情報の読み取りや書き込みの処理が終了すると、モータによりローラを逆回転させて磁気カードを挿入口へ搬送し、磁気カードを挿入口から抜き取り可能にする。
【０００５】
ところで、磁気カード処理装置では、最近、挿入口の前面に偽カード読取機が取り付けられるという不正が行われている。偽カード読取機は、前面に磁気カードを挿入する挿入口が形成され、当該挿入口から挿入された磁気カードを内部に通過させて、背面から排出する構造になっている。また、偽カード読取機は、内部に磁気ヘッドとメモリとを備えていて、内部を通過する磁気カードの磁気ストライプから磁気ヘッドによって情報を読み取り、読み取った情報をメモリに記憶する。
【０００６】
上記の偽カード読取機が真正な磁気カード処理装置の前面に取り付けられていることを知らずに、利用者が偽カード読取機の挿入口に磁気カードを挿入すると、挿入された磁気カードは、偽カード読取機を通過して、真正な磁気カード処理装置の挿入口から内部に入り込む。このとき、磁気カードの磁気ストライプに記録されている情報が、偽カード読取機の磁気ヘッドによって読み取られて、メモリに記憶される。真正な磁気カード処理装置は、磁気カードが挿入口から内部に入り込むと、磁気ヘッドによって磁気カードの磁気ストライプから情報を読み取って、所定の処理を行う。所定の処理が終了すると、磁気カードは真正な磁気カード処理装置の挿入口から出されて、利用者に返却される。このときも、磁気カードが偽カード読取機を通過するので、磁気カードの磁気ストライプの情報が、偽カード読取機の磁気ヘッドによって読み取られて、メモリに記憶されることがある。利用者は、上記のように所定の処理が正常に終了して、磁気カードが手元に戻ると、自分の磁気カードから情報が盗み取られたということに全く気づかない。一方、偽カード読取機を取り付けた者は、その後偽カード読取機を真正な磁気カード処理装置から取り外し、メモリに記憶されている情報を読み出して、磁気カードの偽造等の犯罪に利用する。
【０００７】
上述したような磁気カードの情報の不正読取を防止するための対策として、従来から、磁気カードを磁気カード処理装置の内部へ取り込む場合や、磁気カードを磁気カード処理装置の内部から排出する場合において、磁気カードの一部が外部に露出しているときに、磁気カードを間欠搬送する技術が存在する（例えば、後記の非特許文献１参照）。また、更にセキュリティを高めるために、磁気カードをランダムに間欠搬送する技術が存在する（例えば、後記の特許文献１参照）。
【０００８】
【特許文献１】米国特許第６，４６０，７７１号明細書
【非特許文献１】J. Svigals: "Unauthorized Card Stripe Reading Inhibitor", IBM TECHNICAL DISCLOSURE BULLETIN, vol. 26, No. 6, Nov. 1, 1983, page 2707 XP002145300, New York.
【発明の開示】
【発明が解決しようとする課題】
【０００９】
しかしながら、非特許文献１や特許文献１のような技術では、磁気カードが偽カード読取機の挿入口に挿入されてから、真正の磁気カード処理装置で搬送可能になる位置に入り込むまでの間は、磁気カードを間欠搬送できないため、磁気カードの情報が不正に読み取られてしまう。また、磁気カードが真正の磁気カード処理装置の内部から搬送限界位置へと搬送されてから、偽カード読取機の挿入口より抜き取られるまでの間も、磁気カードを間欠搬送できないため、磁気カードの情報が不正に読み取られてしまう。
【００１０】
本発明は、上記問題点を解決するものであって、その課題とするところは、磁気カードの挿入時および抜き取り時に、磁気カードの情報の不正読取を防止することが可能な磁気カード処理装置を提供することにある。
【課題を解決するための手段】
【００１１】
本発明では、表面にエンボス加工を施された磁気カードが挿入口から挿入された後に、磁気ヘッドによって磁気カードに対して情報の処理を行い、処理終了後に磁気カードが挿入口から抜き取られる磁気カード処理装置において、挿入口の近傍に、通行する磁気カードの突出したエンボス部分に接するようにローラを設ける。
【００１２】
上記のようにすることで、磁気カードの挿入時および抜き取り時において、磁気カードが挿入口の近傍を通行する際に、磁気カードのエンボス部分がローラに接することにより、磁気カードの移動速度を変動させることができ、また、磁気カードに衝撃を加えて、磁気カードを振動させることができる。よって、偽カード読取機が磁気カード処理装置の前面に取り付けられても、挿入口の近傍での磁気カードの移動速度が一定にならず、磁気カードと偽カード読取機に備わる磁気ヘッドとの接触状態が不安定になるので、磁気カードの情報の不正読取を防止することが可能となる。
【００１３】
また、本発明の一実施形態では、挿入口から挿入された磁気カードを搬送する搬送手段を設けていて、当該搬送手段によって搬送されている磁気カードに対して磁気ヘッドによって情報の処理を行い、ローラと磁気ヘッドとを磁気カードに同時に接しないように磁気カードの挿入方向に所定の間隔をおいて配置している。このようにすることで、磁気カードがローラに接していない状態、即ち磁気カードが一定速度で搬送され、かつ振動していない状態のときに、磁気ヘッドを磁気カードの磁気ストライプに安定に接触させて、情報の処理を正常に行うことが可能となる。また、ローラが磁気カードに加える衝撃と、磁気カードの振動とが、磁気ヘッドに直接伝わらなくなるので、磁気ヘッドの損傷を防止することが可能となる。
【００１４】
さらに、本発明の他の一実施形態では、磁気カードが所定位置まで完全に挿入されて停止していることを検出する検出手段と、磁気ヘッドを磁気カードの磁気ストライプに沿って移動させる移動手段とを設けていて、検出手段によって磁気カードの所定位置での停止を検出しているときに、移動手段を駆動して磁気ヘッドを移動させながら磁気カードに対して情報の処理を行う。このようにすることで、所定位置で停止して振動していない状態の磁気カードの磁気ストライプに、磁気ヘッドを安定に接触させて、情報の処理を正常に行うことが可能となる。
【発明の効果】
【００１５】
本発明によれば、磁気カードの挿入時および抜き取り時において、磁気カードが挿入口の近傍を通行する際に、磁気カードのエンボス部分が挿入口近傍に設けたローラに接することで、磁気カードの移動速度を変動させることができ、また、磁気カードを振動させることができるので、偽カード読取機が磁気カード処理装置の前面に取り付けられても、磁気カードの情報の不正読取を防止することが可能となる。
【発明を実施するための最良の形態】
【００１６】
図１〜図３は、本発明の第１実施形態に係る磁気カード処理装置１０１の内部構造を示す図である。図１は同側方断面図、図２は同上方断面図（図１において磁気カード処理装置１０１をＵ方向側から見た断面図）、図３は同前方断面図（図１において磁気カード処理装置１０１をＢ方向側から見た断面図）である。
【００１７】
磁気カード処理装置１０１は、挿入される磁気カード１を内部へ搬送し、内部で搬送中の磁気カード１に対して情報の読み取り処理を行う。磁気カード１は、下面（図１のＤ方向側の面）の所定位置に磁気ストライプ１ｓ（図２に図示）が設けられていて、当該磁気ストライプ１ｓに情報が磁気記録されている。また、磁気カード１は、上面（図１のＵ方向側の面）の所定位置（図２の一点鎖線で囲んだ部分）にＵ方向へ突出するようにエンボス加工が施されていて、磁気カード１の番号、有効期限、および利用者の氏名等が浮き出し文字で表示されている。以下では、磁気カード１の浮き出し文字の部分を、エンボス部分１ｅという。１ａは磁気カード１の先端、１ｂは磁気カード１の後端である。
【００１８】
２は磁気カード処理装置１０１の本体、３は本体２の前面（Ｂ方向側の面）側に設けられた挿入部である。４は磁気カード１が挿入される挿入口、一点鎖線で示す５は磁気カード１が通行する通路である。挿入口４と通路５の幅Ｗ（図２に図示）は、磁気カード１の短手方向Ｒ、Ｌの幅Ｘと略同程度の大きさになっている。これにより、挿入口４および通路５に磁気カード１を幅方向Ｒ、Ｌにガタツキなく挿入することができる。また、挿入口４の高さＨ（図３に図示）は、磁気カード１の厚みＴ（図１に図示）よりも大きくなっている。本例では、磁気カード１の厚みＴが１．３ｍｍ（磁気カード１自体の厚みは０．７６ｍｍであり、磁気カード１の上面からの各エンボス部分１ｅの突出高さは０．５４ｍｍである。）であるのに対し、挿入口４の高さＨは４ｍｍ程度である。これにより、磁気カード１は挿入口４の近傍で上下方向Ｕ、Ｄに移動することができる。
【００１９】
６は挿入部３に設けられたシャッタである。このシャッタ６は、後述するソレノイドにより図１および図３の上下方向Ｕ、Ｄに開閉し、挿入口４から本体２内部への磁気カード１の進入、または本体２内部から挿入口４への磁気カード１の排出を規制する。７は挿入部３の挿入口４の近傍に設けられたローラである。このローラ７は、挿入部３の通路５を通行する磁気カード１のＵ方向へ突出したエンボス部分１ｅと接するように配置されている。８はローラ７を回転可能かつ上下方向Ｕ、Ｄに移動可能に支持するハウジングである。９はハウジング８内に取り付けられた板ばねである。この板ばね９は、ローラ７をＤ方向に付勢して、通路５を通行する磁気カード１に押さえ付ける。磁気カード１が挿入部３の通路５を通行するとき、ローラ７が磁気カード１の各エンボス部１ｅに衝突し、回転しながら各エンボス部分１ｅを乗り越えて行く。
【００２０】
１６は上下一対の搬送ローラ、１５は各搬送ローラ１６を回転させるモータである。各搬送ローラ１６は、磁気カード１のエンボス部分１ｅ以外の部分に接するように配置されている。モータ１５が正転駆動すると、各搬送ローラ１６が回転して磁気カード１をＦ方向へ搬送する。また、モータ１５が逆転駆動すると、各搬送ローラ１６が回転して磁気カード１をＢ方向へ搬送する。搬送ローラ１６とモータ１５とは、本発明における搬送手段の一実施形態を構成する。１０は本体２内部に固定された磁気ヘッドである。この磁気ヘッド１０は、磁気カード１が搬送ローラ１６によって本体２内部を搬送される過程で、磁気カード１の磁気ストライプ１ｓに接して、磁気ストライプ１ｓの磁力の変化を検出し、磁気情報を読み取る。磁気ヘッド１０とローラ７とは、図２に示すように磁気カード１の挿入方向Ｆに磁気カード１の長手方向Ｆ、Ｂの幅Ｙより大きな間隔Ｚ（Ｙ＜Ｚ）をおいた位置に配置されている。このため、磁気ヘッド１０とローラ７とが、磁気カード１に同時に接することはない。
【００２１】
１７は磁気ヘッド１０と対向するように設けられたプラテンローラである。このプラテンローラ１７は、搬送される磁気カード１の上面を支持して、磁気カード１を磁気ヘッド１０に接触させる。１１〜１４はフォトマイクロセンサから構成されているカード検出センサである。第１カード検出センサ１１は、挿入口４の近傍に設けられ、第２〜第４カード検出センサ１２〜１４は、本体２内部に設けられている。これらのカード検出センサ１１〜１４はそれぞれ磁気カード１の有無を検出する。
【００２２】
図４は、磁気カード処理装置１０１の電気的構成を示すブロック図である。２１は磁気カード処理装置１０１の各部を制御するＣＰＵである。１８はＣＰＵ２１の動作プログラム等が記憶されたＲＯＭ、１９はＣＰＵ２１が各部を制御する制御データ等が読み書き可能に記憶されるＲＡＭである。２０は現金自動取引処理装置のような上位装置と相互に通信を行うための通信部、１０は前述の磁気ヘッドである。ＣＰＵ２１は、磁気ヘッド１０によって磁気カード１から読み取った情報を、通信部２０を介して上位装置へ送信する。１５は前述の搬送ローラ１６を回転させるモータ、２２はモータ１５の回転数を検出するエンコーダである。ＣＰＵ２１は、エンコーダ２２の出力に基づいて磁気カード１の搬送速度を制御する。２３は前述のシャッタ６を開閉させるソレノイド、１１〜１４は前述のカード検出センサである。
【００２３】
図５は、磁気カード処理装置１０１の動作手順を示すフローチャートである。各処理はＣＰＵ２１により実行される。磁気カード処理装置１０１の動作を説明するにあたり、磁気カード処理装置１０１における磁気カード１の搬送状態を示す図６と、磁気カード処理装置１０１の挿入部３における磁気カード１の通行状態を示す図７Ａおよび図７Ｂを適宜参照する。
【００２４】
利用者によって磁気カード１が、図６（ａ）に示すように挿入口４からＦ方向へ挿入されると、挿入口４の近傍に設けられた第１カード検出センサ１１が磁気カード１を検出してＯＮ状態になるので（図５のステップＳ１：ＹＥＳ）、ＣＰＵ２１は、ソレノイド２３によりシャッタ６を開き（ステップＳ２）、モータ１５を正転駆動する（ステップＳ３）。
【００２５】
挿入されている磁気カード１の先端１ａがローラ７に当接すると、ローラ７が磁気カード１に接しながら、磁気カード１の挿入力により回転する。そして、磁気カード１のエンボス部分１ｅが、図７Ａ（ａ）に示すようにローラ７に衝突すると、磁気カード１の移動速度が減速される。また、磁気カード１に衝撃が加わって、磁気カード１が振動する。このときは、特に磁気カード１の先端１ａ側が上下（Ｕ、Ｄ方向）と前後（Ｆ、Ｂ方向）に大きく振動する。衝突後、ローラ７は磁気カード１の挿入力により回転して、図７Ａ（ｂ）に示すようにエンボス部分１ｅに乗り上がって行く。そして、ローラ７が、図７Ａ（ｃ）に示すようにエンボス部分１ｅから磁気カード１の上面に落下すると、磁気カード１に衝撃が加わって、磁気カード１が振動する。このときは、特に磁気カード１の先端１ａ側が上下に大きく振動する。
【００２６】
そして、挿入されている磁気カード１の先端１ａが、シャッタ６をくぐって、挿入部３の近傍にある搬送ローラ１６に当接すると、当該搬送ローラ１６はモータ１５の正転駆動により回転しているので、磁気カード１を挟み込んでＦ方向に搬送し、本体２内部へ取り込んで行く。この取り込みの際、ローラ７は磁気カード１に接しながら、磁気カード１の搬送力により回転し、図７Ａ（ｄ）に示すようにローラ７と磁気カード１のエンボス部分１ｅとが接したり離れたりする。ローラ７と磁気カード１のエンボス部分１ｅとが接したり離れたりする間は、上述したように磁気カード１の移動速度が減速される。また、磁気カード１に衝撃が加わって、磁気カード１が振動する。このときは、特に磁気カード１の後端１ｂ側が上下や前後に大きく振動する。
【００２７】
磁気カード１がＦ方向に搬送されて行くことにより、第１カード検出センサ１１が磁気カード１を検出しなくなってＯＦＦ状態になると（図５のステップＳ４：ＹＥＳ）、ＣＰＵ２１は、しばらくした後にソレノイド２３によりシャッタ６を閉じる（ステップＳ５）。シャッタ６を閉じたとき、磁気カード１は、本体２内部で搬送ローラ１６によりＦ方向に搬送されている。この後、図６（ｂ）に示すように磁気カード１の先端１ａが第３カード検出センサ１３の設けられた位置に到達すると、第３カード検出センサ１３が磁気カード１を検出してＯＮ状態になるので（図５のステップＳ６：ＹＥＳ）、ＣＰＵ２１は、磁気カード１をＦ方向へ搬送しながら、磁気ヘッド１０によって磁気カード１の磁気ストライプ１ｓから情報を読み取る（ステップＳ７）。そして、図６（ｃ）に示すように磁気カード１の先端１ａが第４カード検出センサ１４の設けられた位置に到達すると、第４カード検出センサ１４が磁気カード１を検出してＯＮ状態になるので（図５のステップＳ８：ＹＥＳ）、ＣＰＵ２１は、モータ１５の正転駆動を停止する（ステップＳ９）。これにより、搬送ローラ１６の回転が停止して、磁気カード１の搬送が停止する。また、磁気ヘッド１０による磁気カード１からの情報の読み取りが終了する。
【００２８】
この後、ＣＰＵ２１は、通信部２０を介して上位装置と通信を行い（ステップＳ１０）、上位装置に磁気カード１から読み取った情報を送信する。そして、上位装置から所定の取引処理が完了したことを示す通知を受信すると、ＣＰＵ２１は、磁気カード１を返却するために、モータ１５を逆転駆動する（ステップＳ１１）。これにより、搬送ローラ１６が回転して、磁気カード１が挿入口４に向かってＢ方向へ搬送されて行く。磁気カード１がＢ方向に搬送されて行くことにより、図６（ｄ）に示すように磁気カード１の後端１ｂが第２カード検出センサ１２の設けられた位置に到達すると、第２カード検出センサ１２が磁気カード１を検出してＯＮ状態になるので（図５のステップＳ１２：ＹＥＳ）、ＣＰＵ２１は、シャッタ６を開く（ステップＳ１３）。
【００２９】
Ｂ方向へ搬送されている磁気カード１の後端１ｂが、シャッタ６をくぐって、ローラ７に当接すると、ローラ７が磁気カード１の上面に接しながら磁気カード１の搬送力により回転する。そして、磁気カード１のエンボス部分１ｅが、図７Ｂ（ｅ）に示すようにローラ７に衝突すると、磁気カード１の移動速度が減速される。また、磁気カード１に衝撃が加わって、磁気カード１が振動する。このときは、特に磁気カード１の後端１ｂ側が上下と前後に大きく振動する。衝突後、ローラ７は磁気カード１の搬送力により回転して、図７Ｂ（ｆ）に示すようにエンボス部分１ｅに乗り上がって行く。そして、ローラ７が、図７Ｂ（ｇ）に示すようにエンボス部分１ｅから磁気カード１の上面に落下すると、磁気カード１に衝撃が加わって、磁気カード１が振動する。このときは、特に磁気カード１の後端１ｂ側が上下に大きく振動する。またこのとき、第１カード検出センサ１１が磁気カード１を検出してＯＮ状態になる。
【００３０】
その後、さらに磁気カード１がＢ方向に搬送されて行くことにより、磁気カード１の先端１ａが第２カード検出センサ１２の設けられた位置を通り過ぎると、第１カード検出センサ１１がＯＮ状態のまま、第２カード検出センサ１２が磁気カード１を検出しなくなってＯＦＦ状態になるので（図５のステップＳ１４：ＹＥＳ）、ＣＰＵ２１は、しばらくしてモータ１５の逆転駆動を停止する（ステップＳ１５）。これにより、搬送ローラ１６の回転が停止し、磁気カード１が挿入部３の近傍にある搬送ローラ１６のＢ方向側に停止して、磁気カード１の後端１ｂが挿入口４から外部に突出した状態となる。このような状態になると、利用者によって磁気カード１が挿入口４からＢ方向へ抜き取られて行く。この抜き取りの際、ローラ７は磁気カード１に接しながら、磁気カード１の引抜力により回転し、図７Ｂ（ｈ）に示すようにローラ７と磁気カード１のエンボス部分１ｅとが接したり離れたりする。ローラ７と磁気カード１のエンボス部分１ｅとが接したり離れたりする間は、上述したように磁気カード１の移動速度が減速される。また、磁気カード１に衝撃が加わって、磁気カード１が振動する。このときは、特に磁気カード１の先端１ａ側が上下や前後に大きく振動する。
【００３１】
そして、磁気カード１が挿入口４から抜き取られることにより、第１カード検出センサ１１が磁気カード１を検出しなくなってＯＦＦ状態になると（図５のステップＳ１６：ＹＥＳ）、ＣＰＵ２１は、シャッタ６を閉じて（ステップＳ１７）、処理を終了する。
【００３２】
上述した第１実施形態のようにすることで、磁気カード処理装置１０１に対する磁気カード１の挿入時および抜き取り時において、磁気カード１が挿入部３の挿入口４の近傍を通行する際に、磁気カード１のエンボス部分１ｅがローラ７に接することにより、磁気カード１の移動速度を変動させることができ、また、磁気カード１に衝撃を加えて、磁気カード１を振動させることができる。よって、偽カード読取機が磁気カード処理装置１０１の挿入部３の前面（Ｂ方向側の面）に取り付けられても、挿入口４の近傍での磁気カード１の移動速度が一定にならず、磁気カード１と偽カード読取機に備わる磁気ヘッドとが接したり離れたりして、両者の接触状態が不安定になるので、偽カード読取機による磁気カード１の情報の不正読取を防止することが可能となる。  
【００３３】
また、非特許文献１や特許文献１に記載されているように磁気カードを間欠搬送しようとすると、磁気カード搬送用のモータの制御が複雑になり、当該モータの負荷が増大して寿命が短くなり、加えて消費電力が高くなるという難点がある。然るに、上述したように挿入口４の近傍にローラ７を設けたことで、磁気カード１を間欠搬送しなくても、磁気カード１の情報の不正読取を防止することができるので、磁気カード１搬送用のモータ１５の制御が複雑になることはなく、モータ１５の負荷が増大して寿命が短くなることもなく、加えて消費電力が高くなることもない。また、ローラ７と磁気ヘッド１０とを磁気カード１の長手方向Ｆ、Ｂの幅Ｙよりも大きな間隔Ｚをおいて配置したことで、ローラ７と磁気ヘッド１０とが磁気カード１に同時に接しなくなるので、磁気カード１がローラ７に接していない状態、即ち磁気カード１が搬送ローラ１６およびモータ１５により一定速度で搬送され、かつローラ７により振動していない状態のときに、磁気ヘッド１０を磁気カード１の磁気ストライプ１ｓに安定に接触させて、情報の読み取りを正常に行うことが可能となる。さらに、ローラ７が磁気カード１に加える衝撃と、磁気カード１の振動とが、磁気ヘッド１０に直接伝わらなくなるので、磁気ヘッド１０の損傷を防止することが可能となる。
【００３４】
図８〜図１０は、本発明の第２実施形態に係る磁気カード処理装置１０２の内部構造を示す図である。図８は同上方断面図、図９は同側方断面図（図８において磁気カード処理装置１０２をＬ方向側から見た断面図）、図１０は同前方断面図（図８において磁気カード処理装置１０２をＢ方向側から見た断面図）である。
【００３５】
本実施形態の磁気カード処理装置１０２は、内部の所定位置まで挿入されて停止した磁気カード１に対して情報の読み取り処理を行う。４１は磁気カード処理装置１０２の本体、４２は本体４１の前面（Ｂ方向側の面）側に設けられた磁気カード１が挿入される挿入口、４３は磁気カード１が通行する通路である。挿入口４２と通路４３の幅Ｗ１（図８に図示）は、磁気カード１の短手方向Ｒ、Ｌの幅Ｘと略同程度の大きさになっている。これにより、挿入口４２および通路４３に磁気カード１を幅方向Ｒ、Ｌにガタツキなく挿入することができる。また、挿入口４２の高さＨ１（図９に図示）は、磁気カード１の厚みＴよりも大きくなっている。これにより、磁気カード１は挿入口４２の近傍で上下方向Ｕ、Ｄに移動することができる。図８の４４は挿入口４２に設けられた切り欠きである。この切り欠き４４に指を入れることで、通路４３に対して磁気カード１を奥（Ｆ方向側）まで挿入したり、奥から抜き取ったりすることができる。
【００３６】
挿入口４２の近傍には、図１〜図３に示したものと同一のローラ７、ハウジング８、および板ばね９が設けられている。ローラ７は、挿入口４２近傍の通路４３を通行する磁気カード１のＵ方向へ突出したエンボス部分１ｅと接するように配置されている。４５は磁気カード１の磁気ストライプ１ｓから情報を読み取る磁気ヘッドである。
【００３７】
５０は磁気ヘッド４５を磁気カード１の磁気ストライプ１ｓに沿って移動させる移動機構である。この移動機構５０は、支持プレート４６、リードスクリュー４７、ガイドレール４８、ギヤ４９ａ〜４９ｃ、およびモータ５３から構成されている。支持プレート４６は、Ｌ方向側の端部にガイドレール４８が挿通され、Ｒ方向側の端部にリードスクリュー４７が挿通され、中央部に磁気ヘッド４５を支持している。リードスクリュー４７のＢ方向側の端部には、ギヤ４９ａが連結されている。ギヤ４９ａは、ギヤ４９ｂと噛み合っていて、ギヤ４９ｂは、モータ５３の回転軸に連結されたギヤ４９ｃと噛み合っている。５４はモータ５３の回転数を検出するエンコーダである。モータ５３が正転駆動すると、各ローラ４９ａ〜４９ｃが回転して、リードスクリュー４７が回転し、支持プレート４６および磁気ヘッド４５がガイドレール４８に沿ってＦ方向へ移動する。また、モータ５３が逆転駆動すると、各ローラ４９ａ〜４９ｃが回転して、リードスクリュー４７が回転し、支持プレート４６および磁気ヘッド４５がガイドレール４８に沿ってＢ方向へ移動する。ヘッド移動機構５０は、本発明における移動手段の一実施形態を構成する。
【００３８】
５１および５２はマイクロスイッチから構成されているヘッド位置センサである。第１ヘッド位置センサ５１は、支持プレート４６が接触することにより、磁気ヘッド４５が図８および図９の実線で示す位置にあることを検出する。第２ヘッド位置センサ５２は、支持プレート４６が接触することにより、磁気ヘッド４５が図８および図９の二点鎖線で示す位置にあることを検出する。磁気ヘッド４５は、実線で示す位置から二点鎖線で示す位置へと移動するときに、磁気カード１の磁気ストライプ１ｓに接して、磁気ストライプ１ｓの磁力の変化を検出し、磁気情報を読み取る。６１および６２はマイクロスイッチから構成されているカード検出センサである。第１カード検出センサ６１は、磁気カード１が接触することにより、挿入口４２から磁気カード１が挿入されたことを検出する。第２カード検出センサ６２は、磁気カード１が接触することにより、磁気カード１が通路５の奥の所定位置まで完全に挿入されて停止したことを検出する。第２カード検出センサ６２は、本発明における検出手段の一実施形態を構成する。５５は挿入された磁気カード１を所定位置で停止させるストッパである。
【００３９】
図１１は、磁気カード処理装置１０２の電気的構成を示すブロック図である。３１は磁気カード処理装置１０２の各部を制御するＣＰＵである。３２はＣＰＵ３１の動作プログラム等が記憶されたＲＯＭ、３３はＣＰＵ３１が各部を制御する制御データ等が読み書き可能に記憶されるＲＡＭである。３４は上位装置と相互に通信を行うための通信部、４５は前述の磁気ヘッドである。ＣＰＵ３１は、磁気ヘッド４５によって磁気カード１から読み取った情報を、通信部３４を介して上位装置へ送信する。５３は前述のモータ、５４は前述のエンコーダである。ＣＰＵ３１は、エンコーダ５４の出力に基づいて磁気ヘッド４５の移動速度を制御する。５１、５２は前述のヘッド位置センサ、６１、６２は前述のカード検出センサである。
【００４０】
図１２は、磁気カード処理装置１０２の動作手順を示すフローチャートである。各処理はＣＰＵ３１により実行される。磁気カード処理装置１０２の動作を説明するにあたり、磁気カード処理装置１０２における磁気カード１の移動状態を示す図１３と、磁気カード処理装置１０２の挿入口４２近傍における磁気カード１の移動状態を示す図１４Ａおよび図１４Ｂを適宜参照する。
【００４１】
利用者によって磁気カード１が、図１３（ａ）に示すように挿入口４２からＦ方向へ挿入されると、磁気カード１が挿入口４２の近傍に設けられた第１カード検出センサ６１に接触する。これにより、第１カード検出センサ６１が磁気カード１を検出してＯＮ状態になるので（図１２のステップＳ２１：ＹＥＳ）、ＣＰＵ３１は、挿入口４２から磁気カード１が挿入されていると判断する。
【００４２】
挿入されている磁気カード１の先端１ａがローラ７に当接すると、ローラ７が磁気カード１に接しながら、磁気カード１の挿入力により回転する。そして、磁気カード１のエンボス部分１ｅが、図１４Ａ（ａ）に示すようにローラ７に衝突すると、磁気カード１の移動速度が減速される。また、磁気カード１に衝撃が加わって、磁気カード１が振動する。このときは、特に磁気カード１の先端１ａ側が上下（Ｕ、Ｄ方向）と前後（Ｆ、Ｂ方向）に大きく振動する。ローラ７は磁気カード１の挿入力により回転して、図１４Ａ（ｂ）に示すようにエンボス部分１ｅに乗り上がって行く。そして、ローラ７が、図１４Ａ（ｃ）に示すようにエンボス部分１ｅから磁気カード１の上面に落下すると、磁気カード１に衝撃が加わって、磁気カード１が振動する。このときは、特に磁気カード１の先端１ａ側が上下に大きく振動する。上記のような磁気カード１の挿入中は、ローラ７と磁気カード１のエンボス部分１ｅとが接したり離れたりする。従って、この接したり離れたりする間は、上述のように磁気カード１の移動速度が減速され、磁気カード１が上下や前後に振動する。
【００４３】
そして、挿入されている磁気カード１の先端１ａが、図１３（ｂ）に示すようにストッパ５５に当接して、磁気カード１が所定位置で停止すると、磁気カード１が第２カード検出センサ６２に接触する。これにより、第２カード検出センサ６２が磁気カード１を検出してＯＮ状態になるので（図１２のステップＳ２２：ＹＥＳ）、ＣＰＵ３１は、磁気カード１が所定位置まで挿入されて停止していると判断する。そして、ＣＰＵ３１は、モータ５３を正転駆動して（ステップＳ２３）、前述したように磁気ヘッド４５を図１３（ｂ）に実線で示す位置からＦ方向へ移動させながら、磁気ヘッド４５によって磁気カード１の磁気ストライプ１ｓから情報を読み取る（図１２のステップＳ２４）。この情報の読み取り中に、磁気カード１がＢ方向に引っ張られると、図１３（ｃ）に示すように第２カード検出センサ６２から離れる。すると、第２カード検出センサ６２が磁気カード１を検出しなくなってＯＦＦ状態になるので（図１２のステップＳ２５：ＹＥＳ）、ＣＰＵ３１は、情報の読み取り異常が生じたと判断し、モータ５３の正転駆動を停止する（ステップＳ２７）。これにより、磁気ヘッド４５が停止して、磁気カード１からの情報の読み取りが中止される。
【００４４】
一方、第２カード検出センサ６２がＯＮ状態のまま（ステップＳ２５：ＮＯ）、磁気ヘッド４５が、図１３（ｂ）に二点鎖線で示す位置に到達すると、支持プレート４６が第２ヘッド位置センサ５２に接触して、第２ヘッド位置センサ５２がＯＮ状態になるので（図１２のステップＳ２６：ＹＥＳ）、ＣＰＵ３１は、情報の読み取りが正常に行えたと判断し、モータ５３の正転駆動を停止する（ステップＳ２７）。これにより、磁気ヘッド４５が停止して、磁気カード１からの情報の読み取りが完了する。
【００４５】
磁気カード１から情報を読み取ると、ＣＰＵ３１は、通信部３４を介して上位装置と通信を行い、読み取った情報を上位装置に送信する。上位装置は、送信されて来た情報に基づいて所定の取引処理を行い、所定の取引処理が完了すると、利用者に対して磁気カード処理装置１０２からの磁気カード１の抜き取りを許可する通知を行う。この通知は、文字やマークの表示、ランプやＬＥＤの点灯、音声による案内等の手段により行われる。
【００４６】
磁気カード１の抜き取りが許可されると、利用者によって磁気カード１がＢ方向へ引っ張られて行く。引っ張られている磁気カード１の後端１ｂがローラ７に当接すると、ローラ７が磁気カード１に接しながら、磁気カード１の引抜力により回転する。そして、磁気カード１のエンボス部分１ｅが、図１４Ｂ（ｄ）に示すようにローラ７に衝突すると、磁気カード１の移動速度が減速される。また、磁気カード１に衝撃が加わって、磁気カード１が振動する。このときは、特に磁気カード１の後端１ｂ側が上下と前後に大きく振動する。ローラ７は磁気カード１の挿入力により回転して、図１４Ｂ（ｅ）に示すようにエンボス部分１ｅに乗り上がって行く。そして、ローラ７が、図１４Ｂ（ｆ）に示すようにエンボス部分１ｅから磁気カード１の上面に落下すると、磁気カード１に衝撃が加わって、磁気カード１が振動する。このときは、特に磁気カード１の後端１ａ側が上下に大きく振動する。またこのとき、第１カード検出センサ１１が磁気カード１を検出してＯＮ状態になる。上記のような磁気カード１の引き抜き中は、ローラ７と磁気カード１のエンボス部分１ｅとが接したり離れたりする。従って、この接したり離れたりする間は、上述のように磁気カード１の移動速度が減速され、磁気カード１が上下や前後に振動する。
【００４７】
そして、Ｂ方向へ引っ張られている磁気カード１の先端１ａが、図１３（ｄ）に示すように第１カード検出センサ６１から離れると、第１カード検出センサ６１が磁気カード１を検出しなくなってＯＦＦ状態になるので（図１２のステップＳ２８：ＹＥＳ）、ＣＰＵ３１は、磁気カード１が挿入口４から抜き取られたと判断する。実際には、第１カード検出センサ６１がＯＦＦ状態になってからしばらくした後に、磁気カード１が利用者によって挿入口４２から完全に抜き取られる。この後、ＣＰＵ３１は、モータ５３を逆転駆動して（ステップＳ２９）、前述したように磁気ヘッド４５を図１３（ｄ）に実線で示す位置からＢ方向へ移動させて行く。そして、磁気ヘッド４５が、図１３（ｄ）に二点鎖線で示す位置に到達すると、支持プレート４６が第１ヘッド位置センサ５１に接触して、第１ヘッド位置センサ５１がＯＮ状態になるので（図１２のステップＳ３０：ＹＥＳ）、ＣＰＵ３１は、モータ５３の逆転駆動を停止して（ステップＳ３１）、処理を終了する。
【００４８】
上述した第２実施形態のようにすることで、磁気カード処理装置１０２に対する磁気カード１の挿入時および抜き取り時において、磁気カード１が挿入口４２の近傍を通行する際に、磁気カード１のエンボス部分１ｅがローラ７に接することにより、磁気カード１の移動速度を変動させることができ、また、磁気カード１に衝撃を加えて、磁気カード１を振動させることができる。よって、偽カード読取機が磁気カード処理装置１０２の挿入口４２の前面（Ｂ方向側の面）に取り付けられても、挿入口４２の近傍での磁気カード１の移動速度が一定にならず、磁気カード１の磁気ストライプ１ｓと偽カード読取機に備わる磁気ヘッドとの接触状態が不安定になるので、偽カード読取機による磁気カード１の情報の不正読取を防止することが可能となる。
【００４９】
また、挿入された磁気カード１がストッパ５５に当接して所定位置に停止しているときに、磁気ヘッド４５をＦ方向へ移動させて磁気カード１の情報を読み取るので、所定位置で停止して振動していない状態の磁気カード１の磁気ストライプ１ｓに、磁気ヘッド４５を安定に接触させて、情報の読み取りを正常に行うことが可能となる。さらに、磁気カード１の情報の読み取り中に、磁気カード１が所定位置から移動したことを検出したときに、磁気ヘッド４５の移動を停止して、磁気カード１の情報の読み取りを中止するので、磁気ヘッド４５および移動機構５０の損傷を防止することができる。
【００５０】
本発明は、以上述べた実施形態以外にも種々の形態を採用することができる。例えば、以上の実施形態では、ローラ７を第１カード検出センサ１１、６１よりも反挿入口４、４２側に配置した例を挙げたが、ローラ７を第１カード検出センサ１１、６１よりも挿入口４、４２側、または第１カード検出センサ１１、６１と磁気カード１の挿入方向Ｆに対して略同一の位置に配置するようにしてもよい。ローラ７をできる限り挿入口４、４２の近くに設けると、挿入口４、４２近傍において磁気カード１の移動速度を変動させ、かつ磁気カード１を振動させる時間を長くできるので、偽カード読取機による磁気カード１の情報の不正読取を防止するのに効果的である。
【００５１】
また、以上の実施形態では、磁気カード１のエンボス加工が施される部分（図２および図８の一点鎖線で囲んだ部分）の幅と同一の幅を有するローラ７を、挿入口４、４２近傍に１つだけ設けた例を挙げたが、本発明はこれのみに限定するものではない。これ以外に、例えば、磁気カード１のエンボス加工が施される部分の幅と異なる幅を有するローラを、挿入口４、４２近傍に１つまたは２つ以上設けるようにしてもよい。また、上記ローラを２つ以上設ける場合は、各ローラを磁気カード１の挿入方向Ｆや幅方向Ｒ、Ｌにずらして配置してもよい。
【００５２】
さらに、以上の実施形態では、磁気カードに対して情報の読み取り処理を行う磁気カード処理装置に本発明を適用したが、本発明はこれ以外にも、例えば磁気カードに対して情報の書き込み処理を行う磁気カード処理装置や、情報の読み取りと書き込みの両処理を行う磁気カード処理装置に適用することが可能である。また、磁気ストライプとＩＣ接点の両方が設けられた磁気ＩＣカードに対して情報の処理を行えるように、磁気ヘッドとＩＣ接点ユニットとを内部に備えたカード処理装置に適用することも可能である。さらに、磁気ストライプと非接触通信用のアンテナとＩＣとが設けられた磁気ストライプ付き非接触ＩＣカードに対して情報の処理を行えるように、磁気ヘッドと非接触通信用のアンテナとを内部に備えたカード処理装置に適用することも可能である。
【図面の簡単な説明】
【００５３】
【図１】第１実施形態に係る磁気カード処理装置の側方断面図である。
【図２】同装置の上方断面図である。
【図３】同装置の前方断面図である。
【図４】同装置の電気的構成を示すブロック図である。
【図５】同装置の動作手順を示すフローチャートである。
【図６】同装置における磁気カードの搬送状態を示す図である。
【図７Ａ】同装置の挿入部での磁気カードの通行状態を示す図である。
【図７Ｂ】同装置の挿入部での磁気カードの通行状態を示す図である。
【図８】第２実施形態に係る磁気カード処理装置の上方断面図である。
【図９】同装置の側方断面図である。
【図１０】同装置の前方断面図である。
【図１１】同装置の電気的構成を示すブロック図である。
【図１２】同装置の動作手順を示すフローチャートである。
【図１３】同装置における磁気カードの移動状態を示す図である。
【図１４Ａ】同装置の挿入口近傍での磁気カードの移動状態を示す図である。
【図１４Ｂ】同装置の挿入口近傍での磁気カードの移動状態を示す図である。
【符号の説明】
【００５４】
１      磁気カード
１ｅ    エンボス部分
４      挿入口
７      ローラ
１０    磁気ヘッド
１５    モータ
１６    搬送ローラ
４２    挿入口
４５    磁気ヘッド
５０    移動機構
６２    第２カード検出センサ
１０１  磁気カード処理装置
１０２  磁気カード処理装置
Ｆ      挿入方向
Ｚ      間隔
【図１】
2005309861.tif 000003
【図２】
2005309861.tif 000004
【図３】
2005309861.tif 000005
【図４】
2005309861.tif 000006
【図５】
2005309861.tif 000007
【図６】
2005309861.tif 000008
【図７Ａ】
2005309861.tif 000009
【図７Ｂ】
2005309861.tif 000010
【図８】
2005309861.tif 000011
【図９】
2005309861.tif 000012
【図１０】
2005309861.tif 000013
【図１１】
2005309861.tif 000014
【図１２】
2005309861.tif 000015
【図１３】
2005309861.tif 000016
【図１４Ａ】
2005309861.tif 000017
【図１４Ｂ】
2005309861.tif 000018